(57)【特許請求の範囲】
【請求項１】
一面が開口した箱状の換気扇本体と、該換気扇本体の本体側板に取り付けられるダクト接続部とを有し、
前記換気扇本体の天板に本体引掛突起が設けられ、前記本体側板の下縁部に前記本体側板と平行に本体隙間板が設けられることによって前記本体側板と前記本体隙間板との間に本体隙間が形成され、
前記ダクト接続部は、前記本体側板に当接するダクト接続板と、該本体側板に形成された開口部に連通するダクト接続口とを具備し、前記ダクト接続板の上縁に前記換気扇本体側に突出するダクト接続部フランジが設けられ、該ダクト接続部フランジにダクト接続部引掛孔が形成され、前記ダクト接続板の下縁部に前記ダクト接続板と平行にダクト接続部隙間板が設けられることによって前記ダクト接続板と前記ダクト接続部隙間板との間にダクト接続部隙間が形成され、
前記本体隙間板が前記ダクト接続部隙間に侵入し、前記ダクト接続板の下縁部が前記本体隙間に侵入し、さらに、前記本体引掛突起が前記ダクト接続部引掛孔に侵入することによって、前記換気扇本体が前記ダクト接続部に取り付けられ、前記ダクト接続板にパッキンまたはゴム体が貼付され、前記パッキンまたはゴム体が前記本体側板に接触するよりも先に、または、前記本体引掛突起が前記ダクト接続部引掛孔に侵入するよりも先に、前記本体隙間板の下縁部が前記ダクト接続部隙間に侵入し、かつ、前記ダクト接続板の下縁部が前記本体隙間に侵入することを特徴とするダクト用換気扇。
【請求項２】
前記パッキンまたはゴム体の水平方向の長さが、前記ダクト接続板の水平方向の長さと同等程度であることを特徴とする請求項１に記載のダクト用換気扇。
【発明の詳細な説明】
【技術分野】
【０００１】
本発明はダクト用換気扇、特に、天井の開口部に設置されるダクト用換気扇に関する。
【背景技術】
【０００２】
従来、ダクト用換気扇は天井の開口部に設置され、室内空気を換気するものであって、換気扇本体には、吸込口が室内側に設置され、ダクトが接続されるダクト接続部が室外側（天井の裏側）に設置され、吸込口から吸い込まれた空気がダクト接続部からダクトに吐出される。
そして、ダクト接続部を換気扇本体とを係脱自在にし、まず、ダクト接続部を天井に仮固定した後、換気扇本体をダクト接続部に沿って据付ける順番で据付ける方法が多く利用されており、この据付方法を実現するため、換気扇本体の天板の両端部分に突出された突起（ガイドおよび係止機能を有する）を設けた構成が開示されている（例えば、特許文献１参照）。
【先行技術文献】
【特許文献】
【０００３】
【特許文献１】特許第４５０３３２３号公報（第３−４頁、図２）
【発明の概要】
【発明が解決しようとする課題】
【０００４】
特許文献１に開示されたダクト用換気扇では換気扇本体を天井に据付ける場合、ダクト接続部を先に天井の開口部の側縁に仮固定した後、ダクト接続部にスライドさせながら換気扇本体を天井の開口部に挿入するため、換気扇本体をダクト接続部に沿って据え付けることができる。このとき、ダクト接続部の上縁部に設けられた係止孔に換気扇本体の天板に設けられた突起が係止することによって両者の位置が決まるものの、換気扇本体とダクト接続部とのスライド面に隙間が生じる場合があるため、止水性や気密性が確保されないという問題があった。
また、ダクト接続部における止水性や気密性を確実にする目的で、パッキンやゴム等をスライド面（換気扇本体のダクト接続部にスライドする面、またはダクト接続部の換気扇本体にスライドする面）に設置した場合、換気扇本体の突起がダクト接続部の係止孔に確実に挿入されずに、隙間が発生するという問題があった。
【０００５】
本発明は、前記問題を解決するものであって、換気扇本体をダクト接続部に容易な作業によって、止水性や気密性を確保した状態で固定することができるダクト用換気扇を得るものである。
【課題を解決するための手段】
【０００６】
本発明に係るダクト用換気扇は、一面が開口した箱状の換気扇本体と、該換気扇本体の本体側板に取り付けられるダクト接続部とを有し、前記換気扇本体の天板に本体引掛突起が設けられ、前記本体側板の下縁部に前記本体側板と平行に本体隙間板が設けられることによって前記本体側板と前記本体隙間板との間に本体隙間が形成され、前記ダクト接続部は、前記本体側板に当接するダクト接続板と、該本体側板に形成された開口部に連通するダクト接続口とを具備し、前記ダクト接続板の上縁に前記換気扇本体側に突出するダクト接続部フランジが設けられ、該ダクト接続部フランジにダクト接続部引掛孔が形成され、前記ダクト接続板の下縁部に前記ダクト接続板と平行にダクト接続部隙間板が設けられることによって前記ダクト接続板と前記ダクト接続部隙間板との間にダクト接続部隙間が形成され、前記本体隙間板が前記ダクト接続部隙間に侵入し、前記ダクト接続板の下縁部が前記本体隙間に侵入し、さらに、前記本体引掛突起が前記ダクト接続部引掛孔に侵入することによって、前記換気扇本体が前記ダクト接続部に取り付けられ、前記ダクト接続板にパッキンまたはゴム体が貼付され、前記パッキンまたはゴム体が前記本体側板に接触するよりも先に、または、前記本体引掛突起が前記ダクト接続部引掛孔に侵入するよりも先に、前記本体隙間板の下縁部が前記ダクト接続部隙間に侵入し、かつ、前記ダクト接続板の下縁部が前記本体隙間に侵入することを特徴とする。
【発明の効果】
【０００７】
本発明に係るダクト用換気扇によれば、前記構成によって、換気扇本体とダクト接続部とは、上縁部および下縁部の上下２個所において容易に固定されるため、簡単な作業によって、換気扇本体とダクト接続部との間における隙間の発生を防止することができる。このため、隙間発生による、結露の滴下、湿気漏れ、風漏れを抑制することができるダクト用換気扇を得ることができる。
【図面の簡単な説明】
【０００８】
【図１】本発明の実施の形態１に係るダクト用換気扇の概略構成を示す断面図。
【図２】図１に示すダクト用換気扇における換気扇本体へのダクト接続部の取り付け方を示す斜視図。
【図３】図１に示すダクト用換気扇における実際に天井に換気扇本体とダクト接続部とを据付ける状態を示す側面図。
【図４】図１に示すダクト用換気扇におけるダクト接続部を示す断面図。
【図５】図１に示すダクト用換気扇におけるパッキンを撤去した場合に起こりうる現象を示す断面図。
【図６】図１に示すダクト用換気扇におけるダクト接続部を示す斜視図。
【図７】図１に示すダクト用換気扇におけるダクトが斜め方向に接続された変形例を示す平面図。
【発明を実施するための形態】
【０００９】
［実施の形態１］
図１〜図７は、本発明の実施の形態１に係るダクト用換気扇を説明するものであって、図１は概略構成を示す断面図、図２は換気扇本体へのダクト接続部の取り付け方を示す斜視図、図３は実際に天井に換気扇本体とダクト接続部とを据付ける状態を示す側面図、図４はダクト接続部を示す断面図、図５はパッキンを撤去した場合に起こりうる現象を示す断面図、図６はダクト接続部を示す斜視図、図７はダクトが斜め方向に接続された変形例を示す平面図である。なお、各図は模式的に描いたものであって、本発明は図示された形態に限定するものではない。
【００１０】
（ダクト用換気扇）
図１において、ダクト用換気扇１００は、換気扇本体１と、換気扇本体１に取り付けられたダクト接続部２ａ、２ｂとを有する。
【００１１】
（換気扇本体）
換気扇本体１は、一面(設置状態における下面)を開口した箱型に形成されている。換気扇本体１の開口側には、換気扇本体１を天井９０にネジ固定するためのネジ穴が形成されたフランジ(縁部)４２が設けられ、前記開口した一面は、本体化粧パネル３１によって覆われている。
そして、換気扇本体１は、換気する空気を流通させる換気駆動体である多翼式送風機５と、多翼式送風機５を収納し、風路形成を目的とするファンケーシング３とを有している。多翼式送風機５は、電動機５１と、この電動機５１の駆動軸に差込結合されたファン（翼に同じ）５２とから構成されている。
【００１２】
（ダクト接続部）
多室用のダクト用換気扇１００は、排気用のダクト接続部２ａと、他室吸込み用のダクト接続部２ｂとの２個のダクト接続部を有している。
ダクト接続部２ａ、２ｂは、換気扇本体１の側面に当接するダクト接続板２１ａ、２１ｂと、ダクト接続板２１ａ、２１ｂの中央に形成された開口部に連通し、ダクト接続板２１ａ、２１ｂから直角方向に突出した筒状のダクト接続口２２ａ、２２ｂとを有している。
そして、排気用のダクト接続口２２ａは吐出口６ａを形成するものであって、ダクト（配管に同じ）７ａに接続されている。また、他室吸い込み用のダクト接続口２２ｂは吸込口６ｂを形成するものであって、ダクト（配管に同じ）７ｂに接続され、他室に通じている。すなわち、ダクト７ｂは、他室に設置された副吸込み化粧パネル３２から吸い込んだ空気の通気経路となっている。
【００１３】
ダクト接続口２２ａ、２２ｂの外形は、ダクト７ａおよびダクト７ｂの内部に挿入自在な径小部（「ダクト挿入部２３ａ、２３ｂ」と称す）を形成する段付きの構成となり、ダクト接続口２２ａの先端およびダクト接続口２２ｂの先端が、それぞれ吐出口６ａおよび吸込口６ｂとして機能し、それぞれダクト７ａおよびダクト７ｂに連通する位置にまで延長されている。これは、配管するダクト７ａ、７ｂの径が異なっても、ダクト接続口２２ａ、２２ｂに接続できることや、ダクト７ａ、７ｂとダクト接続口２２ａ、２２ｂとの隙間へのテーピングの作業性を考慮したものである。
【００１４】
（シャッター）
ダクト接続口２２ａ、２２ｂ内には、電動又は風圧にて開閉するシャッター２４ａ、２４ｂが設けられている。シャッター２４ａ、２４ｂは、ダクト用換気扇１００の運転時（ファン５２の回転時に同じ）には風圧で開いてダクト接続口２２ａ、２２ｂを開放し、ダクト用換気扇１００の停止時にはシャッター２４ａ、２４ｂの自重でダクト接続口２２ａ、２２ｂを閉鎖する。
【００１５】
このように、シャッター２４ａ、２４ｂを設けることで、ダクト用換気扇１００の停止時に屋外からの外風や他室からの空気の流入を防止することができる。
【００１６】
（化粧パネル）  
本体化粧パネル３１および副吸込み化粧パネル３２（他室に設置されている）は、樹脂製の一体成形のものが用いられる。本体化粧パネル３１や副吸込み化粧パネル３２は、ダクト用換気扇１００の意匠性の向上や、ファン５２への異物混入の防止を主な目的として設けられる。
【００１７】
（換気扇本体へのダクト接続部の取り付け方）
図２において、換気扇本体１の天板で、ダクト接続部２ａが取り付けられる側面（「本体側板」と称す）１１ａに近い位置に一対の本体引掛突起１２が突設されている。
一方、ダクト接続部２ａのダクト接続板２１ａの上縁に、換気扇本体１の本体側板１１ａ側（吐出口６ａとは反対側）に突出するダクト接続部フランジ２５ａが形成され、ダクト接続部フランジ２５ａには、一対のダクト接続部引掛孔２６ａが形成されている。
【００１８】
図３において、ダクト接続部２ａは天井９０の開口部（「天井開口部」と称す）９１の縁部に仮固定された後、換気扇本体１がダクト接続部２ａに据付けられる。
このとき、換気扇本体１の本体側板１１ａは、ダクト接続部２ａのダクト接続板２１ａに沿って天井開口部９１に押し込まれ、換気扇本体１の本体引掛突起１２がダクト接続部２ａのダクト接続部引掛孔２６ａに挿入され、換気扇本体１はダクト接続部２ａに固定される。
【００１９】
（下縁部接続構造）
図４において、換気扇本体１の本体側板１１ａの下縁部に、前記本体側板と平行に本体隙間板１３ａが設けられ、本体側板１１ａと本体隙間板１３ａとの間に本体隙間１４ａが形成されている。一方、ダクト接続部２ａのダクト接続板２１ａの下縁部に、前記ダクト接続板と平行にダクト接続部隙間板２７ａが設けられ、ダクト接続板２１ａとダクト接続部隙間板２７ａとの間にダクト接続部隙間２８ａが形成されている。
そして、換気扇本体１をダクト接続板２１ａに沿って天井開口部９１に押し込む際、本体隙間板１３ａがダクト接続部隙間２８ａに侵入し、ダクト接続板２１ａの下縁部が本体隙間１４ａに侵入し（「下縁部接続構造」と称す）、その後に、換気扇本体１の本体引掛突起１２がダクト接続部２ａのダクト接続部引掛孔２６ａに侵入する（「上縁部接続構造」と称す）。
このとき、換気扇本体１の本体側板１１ａと、ダクト接続部２ａのダクト接続板２１ａとの間にパッキン４が配置されているものの、換気扇本体１とダクト接続部２ａとは、上縁部および下縁部がそれぞれ前記上縁部接続構造および下縁部接続構造によって固定されているから、相互の位置が変動することがない。
なお、下縁部接続構造は、上縁部接続構造の形成が始まるよりも先に、あるいは、パッキン４が換気扇本体１に接触するより先に、形成される必要がある。
【００２０】
図５に示すように、仮に、下縁部接続構造が設けられない場合には、ダクト接続部２ａにパッキン４を使用した場合、パッキン４の反発により、ダクト接続部２ａが換気扇本体１から離反されたり（図５の（ａ）参照）、ダクト接続部２ａに対して換気扇本体１が回転されたりする（図５の（ｂ）参照）等の現象が発生する。このため、換気扇本体１をダクト接続板２１ａに沿って据付けることができず、換気扇本体１からの水垂れ、湿気漏れ、風漏れが発生するおそれがあるものの、ダクト用換気扇１００に下縁部接続構造を設けることによって、かかるおそれが解消する。
【００２１】
図６に示すように、パッキン４の長さ（水平方向の幅に同じ）をダクト接続板２１ａの長さ（水平方向の幅に同じ）と同等にしている。このため、ダクト接続部２ａのダクト接続板２１ａと換気扇本体１の本体側板１１ａとの間に隙間が発生せず、水垂れや湿気漏れ、風漏れの発生を抑制することができる。
【００２２】
図７において、ダクト７ａが斜めから接続されている。この場合においても、パッキン４の長さをダクト接続板２１ａの長さが同程度であるから、ダクト接続口２２ａと本体側板１１ａの間に隙間が発生せず、水垂れや湿気漏れ、風漏れの発生を抑制することができる。
すなわち、換気扇本体１に対し直角にダクト７ａが配管された場合は問題ないが、ダクト７ａを斜めから配管した場合、ダクト接続口２２ａがダクトに引張られ、換気扇本体１とダクト接続板２１ａとの間に隙間が発生し、パッキン４の止水性が損なわれる場合があるが、ダクト用換気扇１００は、前記下縁部接続構造によってパッキン４の止水性が損なわれることが防止される。
【００２３】
上記のように、ダクト用換気扇１００は、前記下縁部接続構造（本体隙間板１３ａの下縁部がダクト接続部隙間２８ａに侵入し、ダクト接続板２１ａの下縁部が本体隙間１４ａに侵入する）を有することで、換気扇本体１を天井９０に据付ける際、換気扇本体１をダクト接続部２ａに確実に据付けることができる。このため、ダクト接続部２ａと換気扇本体１との間に隙間が発生せず、水垂れや湿気漏れ、風漏れの発生を抑制することができるダクト用換気扇１００が得られる。
なお、以上は、他の室が１室である多室用のダクト用換気扇１００について説明しているが、本発明は他の室の数を１室に限定するものではなく、また、他の室がないものであってもよい。すなわち、他の室がない場合には、他室吸込み用のダクト接続部２ｂが取り付けられないで、他の室が２室または３室ある場合には、換気扇本体１の側面に、ダクト接続部２ｂと同様のダクト接続部が取り付けられることになる。
【産業上の利用可能性】
【００２４】
以上のように、本発明にかかるダクト用換気扇は、換気扇本体をダクト接続部に容易な作業によって、止水性や気密性を確保した状態で固定することができるから、広く業務用、一般家庭用のダクト用換気扇として広く利用することができる。特に、戸建住宅、集合住宅などの、施工性における制約がある建築物に設置されるダクト用換気扇に適している。
【符号の説明】
【００２５】
１  換気扇本体、２ａ  ダクト接続部、２ｂ  ダクト接続部、３  ファンケーシング、４  パッキン、５  多翼式送風機、６ａ  吐出口、６ｂ  吸込口、７ａ  ダクト、７ｂ  ダクト、１１ａ  本体側板、１２  本体引掛突起、１３ａ  本体隙間板、１４ａ  本体隙間、２１ａ  ダクト接続板、２２ａ  ダクト接続口、２２ｂ  ダクト接続口、２３ａ  ダクト挿入部、２３ｂ  ダクト挿入部、２４ａ  シャッター、２４ｂ  シャッター、２５ａ  ダクト接続部フランジ、２６ａ  ダクト接続部引掛孔、２７ａ  ダクト接続部隙間板、２８ａ  ダクト接続部隙間、３１  本体化粧パネル、３２  化粧パネル、４２  フランジ、５１  電動機、５２  ファン、９０  天井、９１  天井開口部、１００  ダクト用換気扇。
【図１】
0005907807.tif 000002
【図２】
0005907807.tif 000003
【図３】
0005907807.tif 000004
【図４】
0005907807.tif 000005
【図５】
0005907807.tif 000006
【図６】
0005907807.tif 000007
【図７】
0005907807.tif 000008